(57)【要約】      （修正有）【課題】一の部材と他の部材とを重合スライドさせるスライド装置において、簡単な構成によってスライド戻り付勢がなされたり、所定長スライドさせると逆に自動的に進み方向に進み付勢が生じるようなスライド装置及びスライド装置を用いた電子機器を提供する。【解決手段】第一部材１にスライド移動方向にカム面４を有するカム部５を設け、第二部材２にカム部５のカム面４に当接するカム当接部６を有するカム移動部７を設け、このカム移動部７を前記カム部５のカム面４の凹凸起伏方向に移動自在に設けると共に、このカム移動部７のカム当接部６を前記カム面４に押圧付勢する付勢体８を前記カム移動部７と共に前記第二部材２に設けて、前記第一部材１に対して前記第二部材２をスライド移動する際、前記カム面４の凸部から凹部へと移動しようとするカム付勢力によって前記第一部材１に対する前記第二部材２のスライド移動付勢力が生じるように構成した。【選択図】図１
2007049650.tif 000002
【特許請求の範囲】
【請求項１】
第一部材とこの第一部材に重合配設した第二部材とをスライドガイド機構を介して重合方面にスライド移動自在に連結するスライド装置であって、前記第一部材若しくは前記第二部材にスライド移動方向にカム面を有するカム部を設け、前記第二部材若しくは前記第一部材に前記カム部のカム面に当接するカム当接部を有するカム移動部を設け、このカム移動部若しくはカム当接部を前記カム部のカム面の凹凸起伏方向に移動自在に設けると共に、このカム移動部のカム当接部を前記カム面に押圧付勢する付勢体を前記カム移動部と共に前記第二部材若しくは前記第一部材に設けて、前記第一部材に対して前記第二部材をスライド移動する際、前記カム部のカム面に前記カム移動部のカム当接部が押圧付勢されつつ当接しながら前記カム移動部がスライド移動し、このカム移動部のカム当接部が前記付勢体による押圧付勢力により前記カム面の凸部から凹部へと移動しようとするカム付勢力によって前記第一部材に対する前記第二部材のスライド移動付勢力が生じるように構成し、このカム面の凹凸起伏形状及び前記付勢体の強さの設定によって前記正負のスライド移動付勢力若しくはスライド抵抗の発生範囲及び大きさを設定し得る構成としたことを特徴とするスライド装置。
【請求項２】
前記第一部材若しくは前記第二部材に設けた前記カム部のカム面は、前記第一部材に対する前記第二部材のスライド移動方向に沿って形成され、且つこのスライド移動方向と直交する方向に凹凸起伏する構成とし、このカム面に当接する前記カム当接部を有するカム移動部は、前記スライド方向と直交する方向に前記付勢体に抗してカム移動ガイド機構を介してカム移動自在に前記第二部材若しくは前記第一部材に設けたことを特徴とする請求項１記載のスライド装置。
【請求項３】
前記カム移動部のカム当接部は、このカム移動部の前記カム面側先端部に設けられ、このカム面に当接して回動するローラ体で構成したことを特徴とする請求項１，２のいずれか１項に記載のスライド装置。
【請求項４】
前記第一部材若しくは前記第二部材に前記カム面を有するカム部を設け、前記第二部材若しくは前記第一部材に前記カム移動ガイド機構として前記スライド移動方向と直交するカム移動方向に長さを有するカム移動ガイド孔若しくはカム移動ガイド溝を設け、このカム移動ガイド孔若しくはカム移動ガイド溝にこれに沿ってカム移動方向に移動自在にして且つ前記付勢体によって前記カム当接部をカム面に押圧付勢状態に前記カム移動部を係合したことを特徴とする請求項２，３のいずれか１項に記載のスライド装置。
【請求項５】
前記第一部材と前記第二部材とが重合したスライド開始前の閉塞状態において、前記カム移動部のカム当接部が前記カム部のカム面の閉じ方向に前記スライド付勢力を生じる傾斜面位置に当接、又は第一部材と第二部材とが所定長すれ違いスライドした開放状態において前記カム移動部のカム当接部が前記カム部のカム面の開き方向に前記スライド付勢力が生じる傾斜面位置に当接して、スライド移動端部において閉じ付勢若しくは開き付勢が生じてスライド移動端部での保持力が生じるように構成したことを特徴とする請求項１〜４のいずれか１項に記載のスライド装置。
【請求項６】
前記第一部材を本体部とし、前記第二部材を本体部に重合する重合部として、前記請求項１〜５のいずれか１項に記載のスライド装置を用いて前記本体部と前記重合部とを重合面方向にスライド移動自在に連結したことを特徴とするスライド装置を用いた電子機器。
【請求項７】
前記第一部材と前記第二部材とを湾曲重合面を介して重合し、第一部材に対して第二部材をスライド移動させると第二部材がこの湾曲重合に沿ってスライド移動することで第一部材に対してやや立ち上がり傾斜状態となるように構成したことを特徴とする請求項６記載のスライド装置を用いた電子機器。
【発明の詳細な説明】
【技術分野】
【０００１】
本発明は、例えば本体部と重合部とを重合面方向にスライド移動自在に重合連結し、互いに重合した閉塞状態から重合部をスライドさせて開放状態とするスライド装置並びにこのスライド装置を用いた携帯電話，モバイルなどの電子機器に関するものである。
【背景技術】
【０００２】
例えば従来の折り畳み式の携帯電話は、数字キーやファンクションキーを配列した操作部を下側となる本体部の上面側に設け、この操作部のキー操作などにより所定の表示がなされる液晶パネルなどのディスプレイ部を上側となる重合部の伏面側（重合側）に設け、この本体部と重合部とをヒンジ装置を介して連結して、本体部と重合部とを二つ折り重合して操作部を重合部により隠蔽した折り畳み閉塞状態から、ヒンジ装置により重合部を起伏回動して反転し、操作部とディスプレイ部とが露出した開放状態に切り替えできるように構成している。
【０００３】
そのため、従来このような起伏回動する重合部で本体部の操作部を覆う電子機器においては、折り畳み重合してコンパクト化できるものの操作部を隠蔽した重合状態ではディスプレイ部も隠蔽してしまう構造となり、コンパクト化した状態での使用が制限されざるを得なく不便である場合も多い。
【０００４】
また、操作部を操作する場合には、ディスプレイ部を設けた重い重合部を立ち起こし反転回動させなければならず、この開閉動作（特に開放動作）させずらい欠点もある。
【０００５】
そこで、起伏回動により開閉動作するのではなく、重合面に沿って前後方向に重合部をスライド移動して開閉動作するように構成すれば、重合部の上側面にディスプレイ部を設けることもできるし、また、本体部にディスプレイ部と操作部とを設け、この双方あるいは操作部のみをスライド開閉フリップとなる重合部で覆うことができ、例えば不使用時あるいはキー操作不要時に誤作動防止のために重合部で操作部を覆うことができ、またこの重合閉塞状態においても、言い換えるとたとえ重合部を本体部に重合して操作部を隠蔽したコンパクト化状態においても、ディスプレイ部が上側に露出配設され、ディスプレイ部を視認したり、機能させたりすることが可能となり、また重合した状態から操作部及びディスプレイ部を露出した状態に切り替える場合は、重合面に沿って前後方向に重合部をスライド移動することで行なえるため、この開放動作（操作部の露出動作）も非常に容易に行なえ、機器装置として使用用途が広がり、しかも前記開閉動作も容易となる携帯電話，モバイルなどの電子機器となる。
【０００６】
このようにスライド開閉方式に構成する場合には、本体部と重合部とをスライド移動自在に連結するスライド装置を用いることになるが、本体部の操作部を重合部で隠蔽した重合閉塞位置と、重合部を位置ズレするように前後方向へスライド移動させて操作部を露出させたスライド開放位置とで位置決め保持（閉じ付勢や開き付勢あるいはクリック係合）するように構成することが望ましい。
【０００７】
しかし、この位置で夫々ロック機構を設けることは構造が複雑となりコストアップになりかねないし、またスライド途中で重合部がフリーでふらついてしまうことも好ましいとは言えない。
【発明の開示】
【発明が解決しようとする課題】
【０００８】
本発明は、このような問題を解決すべく試行錯誤を繰り返し、一の部材と他の部材とを重合面方向にスライド移動させるスライド装置において、仮に重合閉塞位置（スライド開始前の初期位置）やスライド開放位置（最大スライドのスライド終了位置）などに位置決め機構を設けずとも、簡単な構成によって例えばスライド閉塞付勢がなされ、しかも所定長開放スライドさせると逆に自動的に開放方向に開き付勢が生じ、スライド移動端部で夫々付勢されて保持させることができ、スライド途中で所望のスライド抵抗が生じるように構成することもでき、また所定スライド位置で係合クリックさせるように構成することもでき、スライド途中位置でスライド部材が不必要にふらつくことがなく、開放動作が軽くなったり、設計によっては手を放しても自動的にスライド開放するようにも構成できるなど、閉じ付勢と開き付勢の双方を各範囲で夫々生じさせて、スライド部材がスライド途中でふらつくことがないように設計可能な画期的なスライド装置並びにスライド装置を用いた電子機器を実現でき、しかも、量産性に秀れ、スライド長も長く確保できる構成で、且つスムーズなスライド移動を容易に実現可能となる画期的なスライド装置並びにスライド装置を用いた電子機器を提供することを目的としている。
【課題を解決するための手段】
【０００９】
添付図面を参照して本発明の要旨を説明する。
【００１０】
第一部材１とこの第一部材１に重合配設した第二部材２とをスライドガイド機構３を介して重合方面にスライド移動自在に連結するスライド装置であって、前記第一部材１若しくは前記第二部材２にスライド移動方向にカム面４を有するカム部５を設け、前記第二部材２若しくは前記第一部材１に前記カム部５のカム面４に当接するカム当接部６を有するカム移動部７を設け、このカム移動部７若しくはカム当接部６を前記カム部５のカム面４の凹凸起伏方向に移動自在に設けると共に、このカム移動部７のカム当接部６を前記カム面４に押圧付勢する付勢体８を前記カム移動部７と共に前記第二部材２若しくは前記第一部材１に設けて、前記第一部材１に対して前記第二部材２をスライド移動する際、前記カム部５のカム面４に前記カム移動部７のカム当接部６が押圧付勢されつつ当接しながら前記カム移動部７がスライド移動し、このカム移動部７のカム当接部６が前記付勢体８による押圧付勢力により前記カム面４の凸部から凹部へと移動しようとするカム付勢力によって前記第一部材１に対する前記第二部材２のスライド移動付勢力が生じるように構成し、このカム面４の凹凸起伏形状及び前記付勢体８の強さの設定によって前記正負のスライド移動付勢力若しくはスライド抵抗の発生範囲及び大きさを設定し得る構成としたことを特徴とするスライド装置に係るものである。
【００１１】
また、前記第一部材１若しくは前記第二部材２に設けた前記カム部５のカム面４は、前記第一部材１に対する前記第二部材２のスライド移動方向に沿って形成され、且つこのスライド移動方向と直交する方向に凹凸起伏する構成とし、このカム面４に当接する前記カム当接部６を有するカム移動部７は、前記スライド方向と直交する方向に前記付勢体８に抗してカム移動ガイド機構９を介してカム移動自在に前記第二部材２若しくは前記第一部材１に設けたことを特徴とする請求項１記載のスライド装置に係るものである。
【００１２】
また、前記カム移動部７のカム当接部６は、このカム移動部７の前記カム面４側先端部に設けられ、このカム面４に当接して回動するローラ体で構成したことを特徴とする請求項１，２のいずれか１項に記載のスライド装置に係るものである。
【００１３】
また、前記第一部材１若しくは前記第二部材２に前記カム面４を有するカム部５を設け、前記第二部材２若しくは前記第一部材１に前記カム移動ガイド機構９として前記スライド移動方向と直交するカム移動方向に長さを有するカム移動ガイド孔９Ａ若しくはカム移動ガイド溝を設け、このカム移動ガイド孔９Ａ若しくはカム移動ガイド溝にこれに沿ってカム移動方向に移動自在にして且つ前記付勢体８によって前記カム当接部６をカム面４に押圧付勢状態に前記カム移動部７を係合したことを特徴とする請求項２，３のいずれか１項に記載のスライド装置に係るものである。
【００１４】
また、前記第一部材１と前記第二部材２とが重合したスライド開始前の閉塞状態において、前記カム移動部７のカム当接部６が前記カム部５のカム面４の閉じ方向に前記スライド付勢力を生じる傾斜面位置に当接、又は第一部材１と第二部材２とが所定長すれ違いスライドした開放状態において前記カム移動部７のカム当接部６が前記カム部５のカム面４の開き方向に前記スライド付勢力が生じる傾斜面位置に当接して、スライド移動端部において閉じ付勢若しくは開き付勢が生じてスライド移動端部での保持力が生じるように構成したことを特徴とする請求項１〜４のいずれか１項に記載のスライド装置に係るものである。
【００１５】
また、前記第一部材１を本体部とし、前記第二部材２を本体部に重合する重合部として、前記請求項１〜５のいずれか１項に記載のスライド装置を用いて前記本体部と前記重合部とを重合面方向にスライド移動自在に連結したことを特徴とするスライド装置を用いた電子機器に係るものである。
【００１６】
また、前記第一部材１と前記第二部材２とを湾曲重合面を介して重合し、第一部材１に対して第二部材２をスライド移動させると第二部材２がこの湾曲重合に沿ってスライド移動することで第一部材１に対してやや立ち上がり傾斜状態となるように構成したことを特徴とする請求項６記載のスライド装置を用いた電子機器に係るものである。
【発明の効果】
【００１７】
本発明は上述のように構成したから、一の部材と他の部材とを重合スライドさせるスライド装置において、簡単な構成によってスライド戻り付勢（閉じ付勢）がなされたり、所定長スライドさせると逆に自動的に進み方向に進み付勢（開き付勢）が生じるように構成して、スライド動作が軽くなったり、設計によっては手を放しても自動的にスライドするようにも構成でき、戻り付勢（閉じ付勢）と進み付勢（開き付勢）の双方が各範囲で夫々生じるようにも構成でき、不必要にスライド途中位置でふらつくことがないようにも設計可能な画期的なスライド装置並びにスライド装置を用いた電子機器を容易に実現できる画期的なスライド装置並びにスライド装置を用いた電子機器となる。
【００１８】
即ち、カム面の凹凸起伏形状の設定と付勢体（バネ）の強さの設定によって、閉じ付勢を重合閉塞位置で生じさせたり、開き付勢を開放位置で生じさせたり、所定長スライドさせると開き付勢が生じて自動開放スライドしたり、このように閉じ付勢と開き付勢の双方を各範囲で生じさせるように構成することも、この付勢力を容易に強弱設定可能な構成で、また前記各スライド移動端部で係合クリックさせたり、開放途中で係合クリックするように構成したり、また付勢が生じない範囲を設けたり、適切なスライド抵抗を生じさせてふらつきなく且つスムーズなスライド移動なども容易に実現するように設定可能となるなど簡易な構成でストロークも長も長く確保できる構成で付勢範囲もその強弱も容易に設定可能な極めて画期的なスライド装置並びにスライド装置を用いた電子機器となる。
【００１９】
また、請求項２〜５記載の発明においては、一層容易に本発明を実現でき、特に請求項５記載の発明では、大きな閉じ付勢や開き付勢を生じさせることができ、簡易な構成にしてスライド移動端部で十分な付勢によって強固に閉塞状態や開放状態を保持できる画期的なスライド装置並びにスライド装置を用いた電子機器となる。
【００２０】
また、請求項６記載の発明においては、前記作用・効果を発揮する電子機器となり、しかも携帯電話に適用すれば、操作部の隠蔽・開放動作が非常に容易に行なえ、しかも簡易な構成で閉じ付勢や開き付勢が生じ、また操作部を隠蔽した状態でもディスプレイを利用可能に設計することも容易な極めて画期的な携帯電話となる。
【００２１】
また、請求項７記載の発明においては、湾曲重合面によるスライド開放時に第一部材に対して第二部材に立ち上がり角度を付けることができ、これにより一層使い易くなる。即ち、例えばスライド開閉時でありながら、起伏回動開閉式と同様に立ち上がり角度を付けることが容易に実現可能となる画期的なスライド装置を用いた電子機器となる。
【発明を実施するための最良の形態】
【００２２】
好適と考える本発明の実施の形態（発明をどのように実施するか）を、図面に基づいてその作用効果を示して簡単に説明する。
【００２３】
第一部材１と第二部材２とを左右に並設重合し、互いにすれ違いスライド移動させる構成としても良いが、例えば図示した実施例に示すような第一部材１と第２部材２とを上下に重合した状態ですれ違いスライド移動させる構成を例に説明する。
【００２４】
例えば第一部材１に対して上側に重合した第二部材２を所定長スライドさせるまでは、第二部材２が重合閉塞方向へ戻り動する閉じ付勢が生じ、所定長スライドさせると逆に開放スライド方向に進み動する開き付勢が生じるように構成している。
【００２５】
即ち、例えば一の部材１と他の部材２とをスライド開閉自在に重合するスライド装置において、仮に重合閉塞位置やスライド開放位置に位置決め機構を設けずとも、例えばストッパーなどのスライド突き当たり停止構造のような簡単な構成を設けるたけで、スライド閉塞付勢がなされることで重合閉塞状態が保持されることとなり、しかも所定長開放スライドさせれば逆に自動的に開放方向に開き付勢が生じ、開放状態も保持されたり、またこの開放動作が軽くなったり、設計によっては手を放しても自動的にスライド開放するように構成することもできることとなる。
【００２６】
言い換えると、閉じ付勢と開き付勢の双方が夫々閉じ側と開き側の所定範囲で生じて、スライド部材（第一部材１に対する第二部材２）がスライド途中でふらつくことがないように設計可能な画期的なスライド装置並びにスライド装置を用いた電子機器を実現できることとなる。
【００２７】
具体的には、第一部材１に対してスライド移動する第二部材２にこのスライド移動と共にスライド移動する移動取付部10にカム移動部７を設ける。この移動取付部10に設けるカム移動部７は第二部材２と共にスライド移動すると共に、カム面４の凹凸起伏方向（カム移動方向）に移動自在に設け、このカム移動部７のカム面４側の先端部にカム当接部６を設けている。従って、このカム当接部６はカム移動方向に移動自在に設けられ、また付勢体８によって押圧付勢されてカム部５のカム面４に圧接している。このカム部５は前記第一部材１に設けられ、このカム部５に第二部材２のスライド移動方向に沿って凹凸カーブする（カム曲線を描く）規制面たるカム面４を設けている。
【００２８】
従って、第一部材１に対して第二部材２をスライド移動すると、カム面４（カム曲線）に付勢体８により押圧当接したままカム当接部６がこのカム面４に沿ってカム移動部７及び移動取付部10と共にスライド移動する。従って、このカム当接部６は付勢体８によって押圧付勢された状態で起伏するカム面４に当接しながらスライド移動方向に移動するため、このカム面４（カム曲線）の傾斜面にカム当接部６が押圧当接した状態では、この傾斜面に沿って凸部位置から凹部位置へ下り落ちろうとするカム付勢力が生じ、これにより第二部材２にスライド移動付勢力が生じることとなる。
【００２９】
従って、この傾斜面（凹凸起伏形状）の設定と付勢体８の強さ設定によって、正逆にスライド移動付勢力を生じさせたり、この発生範囲やその強さやスライド移動抵抗を強弱させることができ、またカム当接部６が一時的に落ち込み係合するクリック凹部をカム面４に形成することで、その位置で第二部材２をクリック係合保持させることもできることとなる。
【００３０】
従って、カム当接部６を押圧付勢する付勢体８とこのカム当接部６が押圧当接するカム曲線をスライド移動方向に形成する構成のため、部材１，２の幅等に制限を受けることなくストローク長を長くすることも可能で、ストローク長が長いスライド移動であってもスライド移動端部で強い閉じ付勢や開き付勢を生じさせることができ、重合閉塞状態も開放状態もこの付勢により保持させることができる。
【００３１】
また、逆にカム曲線の傾斜を弱めてスライド移動端部でのストッパ直前での付勢を弱めてスローダウンするように設計することができ、また付勢が生じない範囲を自由に長くとることもできるし、閉じ付勢から開き付勢に切り換える位置も容易に設定可能で、またこの移行を極端な変化とせず、徐々に付勢方向の正逆が変化するようにしてスムーズな感触で閉じ付勢から開き付勢あるいは開き付勢から閉じ付勢に移行するように設計することも容易に実現できるし、所望位置にカム当接部６が係脱するクリック凹部をカム面４に設けてクリック係合保持するように構成することもできる画期的なスライド装置及びこれを用いた電子機器となる。
【実施例】
【００３２】
本発明の具体的な実施例について図面に基づいて説明する。
【００３３】
本実施例は、図面に示すように携帯電話に本発明を適用したもので、回路基板，電源などの電子部品をケースに内装した板状の第一部材１（本体部１）の上面側に数字キーやファンクションキーなどを配列したキーボード機能を果たす操作部と、この操作部の操作により表示されるディスプレイ部を設け、この本体部１の操作部を覆うようにスライド自在に重合する開閉フリップとしての第二部材２（重合部２）を略水平前後方向にスライド自在にスライド装置により連結した構成としている。
【００３４】
具体的には、第一部材１とこの第一部材１に重合配設した第二部材２とをスライドガイド機構３を介して重合方面にスライド移動自在に連結するスライド装置を用いたものであって、前記第一部材１にスライド移動方向にカム面４（カム曲線）を有するカム部５を設け、前記第二部材２に前記カム部５のカム面４に当接するカム当接部６を有するカム移動部７を設けている。
【００３５】
このカム移動部７は、スライドガイド機構３として第二部材２に設けて第一部材１にスライド自在に係合させた移動取付部10に設けられ、この移動取付部10と共に第一部材１に対してスライド移動するが、この移動取付部10に対して、前記カム部５のカム面４の凹凸起伏方向（カム移動方向）に移動自在に設けている。そしてこのカム移動部７のカム面側先端部にカム当接部６を設け、このカム当接部６を前記カム面４に押圧付勢する付勢体８を前記カム移動部７と共に前記第二部材２の移動取付部10に設けて、前記第一部材１に対して前記第二部材２をスライド移動する際、前記カム部５のカム面４に前記カム移動部７のカム当接部６が押圧付勢されつつ当接しながら前記カム移動部７が移動取付部10及び第二部材２と共に第一部材１に対してスライド移動し、このカム移動部７のカム当接部６が前記付勢体８による押圧付勢力により前記カム面４の凸部から凹部へと移動しようとするカム付勢力によって前記第一部材１に対する前記第二部材２のスライド移動付勢力が生じるように構成し、このカム面４の凹凸起伏形状及び前記付勢体８の強さの設定によって前記正負のスライド移動付勢力若しくはスライド抵抗の発生範囲及び大きさを設定し得る構成としている。
【００３６】
更に説明すると、前記第一部材１に設けた前記カム部５のカム面４は、前記第一部材１に対する前記第二部材２のスライド移動方向に沿って形成され、且つこのスライド移動方向と直交する方向に凹凸起伏するカム曲線として構成し、このカム面４に当接する前記カム当接部６を有するカム移動部７は、前記スライド方向と直交する方向に前記付勢体８に抗してカム移動ガイド機構９を介してカム移動自在に前記第二部材２に設けている。
【００３７】
即ち、本実施例では、第一部材１内に設けたカム部５にカム面４をスライド方向に形成すると共に、第二部材２にはスライドガイド機構３として前記移動取付部10を第一部材１にスライド移動自在に係合し、この移動取付部10にカム移動部７及びこのカム移動部７をカム方向に移動自在にガイドするカム移動ガイド機構９と、このカム移動部７のカム当接部６をカム面４に押圧付勢する付勢体８を設けている。
【００３８】
具体的には、移動取付部10にカム移動ガイド機構９として前記スライド移動方向と直交するカム移動方向に長さを有するカム移動ガイド孔９Ａを設け、このカム移動ガイド孔９Ａにこれに沿ってガイド軸９Ｂを架設し、このガイド軸９Ｂに付勢体８を被嵌すると共にこのガイド軸９Ｂに沿って移動するカム移動部７を前記付勢体８と共にカム移動ガイド孔９Ａに係合し、カム移動部７を付勢体８に抗してカム移動ガイド孔９Ａ及びガイド軸９Ｂに沿ってカム移動方向に移動自在に構成している。
【００３９】
このカム移動部７のカム当接部６は、このカム移動部７の前記カム面４側先端部に設けられ、このカム面４に当接して回動するローラ体で構成している。
【００４０】
従って、前記第一部材１と前記第二部材２とが重合したスライド開始前の重合閉塞状態において、前記カム移動部７のカム当接部６が前記カム部５のカム面４の閉じ方向に前記スライド付勢力を生じる傾斜面位置に当接、又は第一部材１と第二部材２とが所定長すれ違いスライドした開放状態において前記カム移動部７のカム当接部６が前記カム部５のカム面４の開き方向に前記スライド付勢力が生じる傾斜面位置に当接した状態では、スライド移動端部において閉じ付勢・開き付勢が生じてスライド移動端部での保持力が生じるように構成している。
【００４１】
即ち、本実施例では、カム面４（カム曲線）の設定と、付勢体８の強さ設定によってカム曲線のスライド移動当初位置では傾斜をきつくして閉じ付勢が大きく生じるように設定し、重合閉塞状態ではこの閉じ付勢によって保持されると共にふらつくことなくわずかにスライドした位置では常に自動的にこの閉じ付勢によって閉塞状態となるように構成し、この閉じ付勢は徐々に弱くなって所定長開放方向に進みスライドさせると、カム面４の傾斜は逆となって開き付勢が生じるように構成し、自動的に開放状態へとスライドするように付勢体８を大きく設定したり、またこの開き付勢によって軽い力で開放できたりするように構成し、開放状態においてはこのカム面４の傾斜をきつくして大きな開き付勢を生じさせて開放状態が強固に付勢保持されるように構成している。
【００４２】
また、スライド途中で付勢が生じない範囲を設けると共にカム当接部６が付勢体８によってカム面４に押圧当接していることでスライド抵抗を生じさせてフリーストップが実現されるように構成しても良いし、図４に示すようにクリック係合凹部をカム面４の所望位置に設けて、所望位置でクリック係合保持されるようにしても良い。
【００４３】
また、図５〜図７に示す第二実施例に示すようにカム面４とこれに押圧するカム当接部６を有するカム移動部７を夫々並設した構成としても良く、並設したカム面４の凹凸起伏形状は同じカム曲線となるように構成しても良いし、左右別々のカム曲線とし、これの複合によってスライド移動付勢力が生じるように構成しても良い。
【００４４】
また、本実施例は付勢体８を左右のカム当接部６間に配設し抵抗バネを採用している。
【００４５】
また図８に示す第三実施例は、第一部材１と第二部材２とのスライド重合面を湾曲させて第一部材１に対して第二部材２をスライド移動させるとこの湾曲重合面に沿って第二部材２のスライド先端側がやや立ち上がるように構成している。
【００４６】
例えば、携帯電話に適用した場合、操作部を設けた本体部１に対してディスプレイ部を設けた重合部２を重合閉塞状態から重合部２を進めスライド移動させると、重合部２の先端側はスライド湾曲に沿ってスライド移動するため、先端部が徐々に上方にそり上がるようにして湾曲スライドして行き、重合部２の先端部に立ち上がり角度が生じ、重合部２をスライド開放すると重合部２のスライド先端側はやや持ち上がった傾斜状態となってディスプレイ部が見やすくなるように構成している。
【００４７】
従って、略水平スライド移動自在に重合した構成で、これまで通りの常にスライド移動させる動作でディスプレイ部を有する重合部２を前方へ移動させることで本体部１の操作部を露出できる構成でありながら、重合部２に角度をつけることができ、ディスプレイ部を見やすくできたり、スピーカ部を耳に近づけやすく、スライド式の携帯電話を起伏開閉式と同様に開放時に重合部２にやや角度をつけた構成とすることが可能である。
【００４８】
本実施例は、本発明を適用することでこのような湾曲重合面によるスライド開閉も容易に実現可能となるものである。
【００４９】
即ち、本発明の構成は、このような湾曲重合面によるスライド開放時に重合部２に容易に角度をつける構成も容易に実現できる極めて画期的な発明である。
【００５０】
尚、本発明は、本実施例に限られるものではなく、各構成要件の具体的構成は適宜設計し得るものである。
【図面の簡単な説明】
【００５１】
【図１】第一実施例の使用状態を示す説明斜視図である。
【図２】第一実施例の要部の説明斜視図である。
【図３】第一実施例の説明分解斜視図である。
【図４】第一実施例の（カム面にクリック係合部を追加した）要部の作動説明平面図である。
【図５】第二実施例の使用状態を示す説明斜視図である。
【図６】第二実施例のスライド開閉途中の要部の説明斜視図である。
【図７】第二実施例の説明分解斜視図である。
【図８】第三実施例の使用状態を示す説明斜視図である。
【図９】第三実施例のスライド開閉途中の説明側面図である。
【図１０】第三実施例の要部の説明斜視図である。
【符号の説明】
【００５２】
１  第一部材（本体部）
２  第二部材（重合部）
３  スライドガイド機構
４  カム面
５  カム部
６  カム当接部
７  カム移動部
８  付勢体
９  カム移動ガイド機構
【図１】
2007049650.tif 000003
【図２】
2007049650.tif 000004
【図３】
2007049650.tif 000005
【図４】
2007049650.tif 000006
【図５】
2007049650.tif 000007
【図６】
2007049650.tif 000008
【図７】
2007049650.tif 000009
【図８】
2007049650.tif 000010
【図９】
2007049650.tif 000011
【図１０】
2007049650.tif 000012